(57)【要約】  アタッチメント（３０）は、半導体光源（２０）を支持体（１０）に固定する。アタッチメント（３０）は、枠体（３１）と保持部（３１ａ２〜３１ａ５）を備えている。枠体（３１）は、支持体（１０）に固定された半導体光源（２０）から出射された光が通過可能な開口（３１ａ）を有している。保持部（３１ａ２〜３１ａ５）は、開口（３１ａ）の縁に形成され、絶縁性材料からなる。保持部（３１ａ２〜３１ａ５）の各々は、枠体（３１）が支持体（１０）に固定されるとき、半導体光源（２０）の一部を支持体（１０）に向けて押圧する。
2015041182.tif 000002
【特許請求の範囲】
【請求項１】
半導体光源を支持体に固定するアタッチメントであって、
前記支持体に固定された半導体光源から出射された光が通過可能な開口を有し、前記支持体に固定される枠体と、
前記開口の縁に形成され、絶縁性材料からなる少なくとも３つの保持部と、
を備えており、
前記少なくとも３つの保持部の各々は、前記枠体が前記支持体に固定されるとき、前記半導体光源の一部を前記支持体に向けて押圧する構成とされている、
アタッチメント。
【請求項２】
前記少なくとも３つの保持部の各々は、前記開口の内側に向かって延びており、先端側の幅が基端側よりも狭くなっている、
請求項１に記載のアタッチメント。
【請求項３】
前記枠体を前記支持体に締結する第１締結部材が挿通される第１貫通孔が形成された第１固定部と、
前記枠体を前記支持体に締結する第２締結部材が挿通される第２貫通孔が形成された第２固定部と、
を備えており、
前記少なくとも３つの保持部は、前記第１貫通孔と前記第２貫通孔の中心同士を結ぶ直線に対して線対称となるように配置されている、
請求項１または２に記載のアタッチメント。
【請求項４】
前記少なくとも３つの保持部の各々は、前記枠体と一体に成形されている、
請求項１から３のいずれか一項に記載のアタッチメント。
【請求項５】
支持体と、
前記支持体上に配置された半導体光源と、
前記半導体光源を前記支持体に固定するアタッチメントと、
を備えており、
前記アタッチメントは、
前記半導体光源から出射された光が通過可能な開口を有し、前記支持体に固定される枠体と、
前記開口の縁に形成され、絶縁性材料からなる少なくとも３つの保持部と、
を備えており、
前記少なくとも３つの保持部の各々は、前記半導体光源の一部を前記支持体に向けて押圧している、
照明装置。
【発明の詳細な説明】
【技術分野】
【０００１】
本発明は、半導体光源を支持体に固定するアタッチメントに関する。また本発明は、当該半導体光源と当該アタッチメントを備える照明装置に関する。
【背景技術】
【０００２】
照明装置の一例としての車両用灯具の光源として、発光ダイオード（ＬＥＤ）などの半導体発光素子を含む半導体光源が知られている。半導体光源は、発光に伴い発生する熱を放散するヒートシンクなどの支持体上に固定される。固定の際には、アタッチメントと呼ばれる部材が用いられる。アタッチメントは、導電端子を備えている。導電端子の一端は、半導体光源が備える給電部と接触する。導電端子と給電部を通じて、外部より半導体光源へ電力が供給される（例えば、特許文献１を参照）。
【先行技術文献】
【特許文献】
【０００３】
【特許文献１】日本国特許出願公開２０１０−１９２１３９号公報
【発明の概要】
【発明が解決しようとする課題】
【０００４】
照明装置に搭載される半導体光源にはコスト抑制が求められている。本発明は、そのような半導体光源を用いることが可能なアタッチメントを提供し、ひいては照明装置のコスト抑制を可能とすることを目的とする。
【課題を解決するための手段】
【０００５】
上記の目的を達成するために、本発明がとりうる第１の態様は、半導体光源を支持体に固定するアタッチメントであって、
前記支持体に固定された半導体光源から出射された光が通過可能な開口を有し、前記支持体に固定される枠体と、
前記開口の縁に形成され、絶縁性材料からなる少なくとも３つの保持部と、
を備えており、
前記少なくとも３つの保持部の各々は、前記枠体が前記支持体に固定されるとき、前記半導体光源の一部を前記支持体に向けて押圧する構成とされている。【０００６】
一般的には、半導体光源の表面に形成された導電経路を覆うように絶縁性被膜が形成される。しかしながら、光源の低コスト化を志向した場合、そのような絶縁性被膜の形成を省略したいというニーズがある。上記の構成によれば、保持部は絶縁性材料からなるため、導電経路を絶縁性被膜で覆わずとも保持部との間に短絡が生ずることがない。したがって、低コスト化の要求に基づいた半導体光源を用いることができ、ひいては当該半導体光源を備える照明装置のコストを抑制できる。【０００７】
また半導体光源の表面に形成された導電経路と保持部との間に短絡が生ずることがないため、保持部の寸法を最大限大きくして高い保持力を確保できる。特に３つ以上の保持部で半導体光源を保持するため、保持力を面的に作用させることが可能となり、半導体光源の放熱面を支持体に対して確実に接触させることができる。これにより支持体を通じた放熱効率を高めることが可能である。【０００８】
したがって、上記の目的を達成するために本発明がとりうる第２の態様は、照明装置であって、
支持体と、
前記支持体上に配置された半導体光源と、
前記半導体光源を前記支持体に固定するアタッチメントと、
を備えており、
前記アタッチメントは、
前記半導体光源から出射された光が通過可能な開口を有し、前記支持体に固定される枠体と、
前記開口の縁に形成され、絶縁性材料からなる少なくとも３つの保持部と、
を備えており、
前記少なくとも３つの保持部の各々は、前記半導体光源の一部を前記支持体に向けて押圧している。【０００９】
上記のアタッチメントにおいて、前記少なくとも３つの保持部の各々は、前記開口の内側に向かって延びており、先端側の幅が基端側よりも狭くなっている構成とされうる。【００１０】
このような構成によれば、保持部が撓みやすくなるため、適度の押圧力で保持部が半導体光源に対して圧接されうる。これにより、最小限の寸法を有する保持部で最大限の保持力を確保できる。したがって、アタッチメントの部品コストを抑制でき、ひいては当該アタッチメントを備える照明装置のコストを抑制できる。【００１１】
上記のアタッチメントにおいて、前記枠体は、それぞれ前記第１方向に平行な向きに延びる第１固定部と第２固定部を備える構成とされうる。この場合、前記第１固定部には、前記枠体を前記支持体に締結する第１締結部材が挿通される第１貫通孔が形成され、前記第２固定部には、前記枠体を前記支持体に締結する第２締結部材が挿通される第２貫通孔が形成される構成とされうる。さらに前記少なくとも３つの保持部は、前記第１貫通孔と前記第２貫通孔の中心同士を結ぶ直線に対して線対称となるように配置されている構成とされうる。【００１２】
このような構成によれば、第１締結部材と第２締結部材による締結力を、各保持部に等しく作用させることができる。これにより、最小限の寸法を有する保持部で最大限の保持力を確保できる。したがって、アタッチメントの部品コストを抑制でき、ひいては当該アタッチメントを備える照明装置のコストを抑制できる。【００１３】
上記のアタッチメントにおいて、前記少なくとも３つの保持部の各々は、前記枠体と一体に成形されている構成とされうる。【００１４】
このような構成によれば、部品点数の削減が可能である。したがって、アタッチメントの部品コストを抑制でき、ひいては当該アタッチメントを備える照明装置のコストを抑制できる。
【図面の簡単な説明】
【００１５】
【図１】一実施形態に係る灯具ユニットが備える支持体を示す斜視図である。
【図２】上記の支持体に半導体光源が載置された状態を示す斜視図である。
【図３】上記の支持体にアタッチメントが装着された状態を示す斜視図である。
【図４】上記の支持体にリフレクタが装着された状態を示す斜視図である。
【図５】上記のアタッチメントの構成を示す斜視図である。
【図６】上記のアタッチメントの構成を示す平面図および背面図である。
【図７】上記のアタッチメントと半導体光源の位置関係を示す平面図である。
【図８】上記のアタッチメントが備える保持部の形状を説明する平面図である。
【図９】図８におけるＩＸ−ＩＸに沿う断面図である。
【発明を実施するための形態】
【００１６】
添付の図面を参照しつつ本発明に係る実施形態の例について以下詳細に説明する。なお以下の説明に用いる各図面では、各部材を認識可能な大きさとするために縮尺を適宜変更している。また以降の説明に用いる「右」および「左」は、運転席から見た左右の方向を示している。
【００１７】
図１は、照明装置の一例としての灯具ユニット１（図４参照）が備える支持体１０を示している。灯具ユニット１は、例えば、車両に搭載される前照灯装置に装備される。支持体１０は、左側支持領域１１と右側支持領域１２を含んでいる。左側支持領域１１の上面には、前側位置決めピン１３ａと後側位置決めピン１３ｂが設けられ、上方に延びている。右側支持領域１２の上面には、前側位置決めピン１４ａと後側位置決めピン１４ｂが設けられ、上方に延びている。
【００１８】
左側支持領域１１における前側位置決めピン１３ａと後側位置決めピン１３ｂの間には、左側光源搭載部１５が設けられている。左側光源搭載部１５の上面からは、左側位置決めピン１５ａと右側位置決めピン１５ｂが上方に延びている。右側支持領域１２における前側位置決めピン１４ａと後側位置決めピン１４ｂの間には、右側光源搭載部１６が設けられている。右側光源搭載部１６の上面からは、左側位置決めピン１６ａと右側位置決めピン１６ｂが上方に延びている。
【００１９】
左側支持領域１１における前側位置決めピン１３ａの前方には、前側ねじ孔１７ａが形成されている。左側支持領域１１における後側位置決めピン１３ｂの後方には、後側ねじ孔１７ｂが形成されている。右側支持領域１２における前側位置決めピン１４ａの前方には、前側ねじ孔１８ａが形成されている。右側支持領域１２における後側位置決めピン１４ｂの後方には、後側ねじ孔１８ｂが形成されている。
【００２０】
図２に示すように、左側支持領域１１における左側光源搭載部１５と右側支持領域１２における右側光源搭載部１６には、同一の構成を有する半導体光源２０がそれぞれ搭載される。半導体光源２０の構成および左側光源搭載部１５と右側光源搭載部１６への搭載法の詳細については、後述する。
【００２１】
図３に示すように、左側アタッチメント３０が左側支持領域１１に装着されることにより、半導体光源２０が左側光源搭載部１５に固定される。また、右側アタッチメント４０が右側支持領域１２に装着されることにより、半導体光源２０が右側光源搭載部１６に固定される。左側アタッチメント３０と右側アタッチメント４０の構成、および左側支持領域１１と右側支持領域１２への装着法の詳細については後述する。
【００２２】
図４に示すように、左側リフレクタ５０が左側支持領域１１に装着され、右側リフレクタ６０が右側支持領域１２に装着されることにより、灯具ユニット１が構成される。
【００２３】
左側リフレクタ５０の内面は、反射面５１とされている。左側リフレクタ５０は、反射面５１が左側アタッチメント３０により固定された半導体光源２０に対向するように配置される。当該半導体光源２０から出射された光は、反射面５１により反射されて当該半導体光源２０の前方を含む方向へ照射される。右側リフレクタ６０の内面は、反射面６１とされている。右側リフレクタ６０は、反射面６１が右側アタッチメント４０により固定された半導体光源２０に対向するように配置される。当該半導体光源２０から出射された光は、反射面６１により反射されて当該半導体光源２０の前方を含む方向へ照射される。
【００２４】
左側リフレクタ５０と右側リフレクタ６０の前方には、それぞれ必要に応じて図示しないレンズが配置されうる。レンズを通過する反射光は、所定の配向制御を受ける。灯具ユニット１は、車両における適宜の位置に搭載される。各半導体光源２０から出射された光は、灯具ユニット１の前方における所定の領域を照明する。
【００２５】
図５の（ａ）は、左側アタッチメント３０を右斜め後方から見た外観を示す斜視図である。左側アタッチメント３０は、樹脂などの絶縁性材料からなる枠体３１を備えている。枠体３１には、開口３１ａ、前側位置決め孔３１ｂ、および後側位置決め孔３１ｃが形成されている。開口３１ａ、前側位置決め孔３１ｂ、および後側位置決め孔３１ｃは、それぞれ枠体３１を上下方向に貫通している。
【００２６】
左側アタッチメント３０は、前側固定片３２と後側固定片３３をさらに備えている。前側固定片３２は、枠体３１の前端部より前方に延びている。前側固定片３２には前側固定孔３２ａが形成されている。前側固定孔３２ａは、前側固定片３２を上下方向に貫通している。後側固定片３３は、枠体３１の後端部より後方に延びている。後側固定片３３には後側固定孔３３ａが形成されている。後側固定孔３３ａは、後側固定片３３を上下方向に貫通している。
【００２７】
左側アタッチメント３０は、コネクタ部３４をさらに備えている。コネクタ部３４は、枠体３１の右端部と一体に成形されている。コネクタ部３４には、後方に開口する接続孔３４ａが形成されている。図６の（ｂ）に示すように、接続孔３４ａの内部には、接続端子３４ｂ、３４ｃが配置されている。
【００２８】
図５の（ａ）に示すように、左側アタッチメント３０は、左側導電端子３５と右側導電端子３６をさらに備えている。左側導電端子３５と右側導電端子３６は、銅などの導電性材料からなり、例えばインサート成型により、枠体３１およびコネクタ部３４と一体成型されている。左側導電端子３５と右側導電端子３６の一部は、枠体３１に形成された開口３１ａ内に露出している。左側導電端子３５と右側導電端子３６の残りの部分は、枠体３１内部を延び、それぞれコネクタ部３４に設けられた接続端子３４ｂ、３４ｃと物理的および電気的に接続されている。
【００２９】
図５の（ｂ）は、右側導電端子３６における開口３１ａ内に露出している部分を拡大して示す斜視図である。当該部分は、基端部３６ａ、傾斜部３６ｂ、一対の腕部３６ｃを有している。
【００３０】
基端部３６ａは、上述のインサート成型が行なわれる過程で金型に挟まれる部位である。基端部３６ａは平坦面とされているため、金型に挟まれる際の支持状態が安定する。これにより安定した成形品質を維持できる。基端部３６ａの幅は、その前端部において右側のみに広げられて拡幅部３６ａ１を形成している。
【００３１】
傾斜部３６ｂは、基端部３６ａの後端より連続して後方かつ斜め上方に延びる部位である。一対の腕部３６ｃは、傾斜部３６ｂの後端より連続して後方に延びる部位である。一対の腕部３６ｃは、それぞれ、平坦部３６ｃ１、傾斜部３６ｃ２、および接点部３６ｃ３を有している。平坦部３６ｃ１は、傾斜部３６ｂの後端より連続して後方に延びる部位である。傾斜部３６ｃ２は、平坦部３６ｃ１の後端より連続して後方かつ斜め下方に延びる部位である。接点部３６ｃ３は、傾斜部３６ｃ２の後端に連続して形成されている部位である。このような形状を有することにより、一対の腕部３６ｃは、上下方向にある程度の変位が可能な程度の弾性を有している。
【００３２】
図６の（ａ）に示すように、左側導電端子３５は、平面視で右側導電端子３６と左右対称の形状を有している。すなわち、左側導電端子３５の基端部（基端部３６ａに対応する部分）は、その前端部において左側のみに拡幅されて拡幅部（拡幅部３６ａ１に対応）を形成している。左側導電端子３５に係るそれ以外の構成は、右側導電端子３６と実質的に同一であるため、詳細な説明は割愛する。
【００３３】
左側導電端子３５と右側導電端子３６の各基端部は、開口３１ａの前端縁３１ａ１に配置されている。すなわち、左側導電端子３５と右側導電端子３６は、ともに前端縁３１ａ１より後方に延びている。各基端部は、それぞれ一方向のみに拡幅されているため、左右対称の形状を有する左側導電端子３５と右側導電端子３６を、可及的に接近させて配置できる。すなわち、小型化の要請により左側給電部２４と右側給電部２５の間隔が狭められた半導体光源２０を用いることが可能となる。
【００３４】
前側固定片３２と後側固定片３３は、左側導電端子３５と右側導電端子３６が延びる向きと平行に延びている。前側固定片３２の前側固定孔３２ａは、左側導電端子３５と右側導電端子３６の前方に配置されている。後側固定片３３の後側固定孔３３ａは、左側導電端子３５と右側導電端子３６の後方に配置されている。前側固定孔３２ａと後側固定孔３３ａは、それらの中心同士を結ぶ直線Ｌ１が左側導電端子３５と右側導電端子３６の間を延びるように配置されている。
【００３５】
前側位置決め孔３１ｂは、開口３１ａの左斜め前方に配置されている。後側位置決め孔３１ｃは、開口３１ａの右斜め後方に配置されている。すなわち、前側位置決め孔３１ｂと後側位置決め孔３１ｃは、それらの中心同士を結ぶ直線Ｌ２が開口３１ａを斜めに横切るように配置されている。なお前側位置決め孔３１ｂは、当該直線Ｌ２に沿う向きを長手方向とする長孔として形成されている。後側位置決め孔３１ｃは、普通の丸孔として形成されている。
【００３６】
図３に示すように、右側アタッチメント４０は、左側アタッチメント３０と左右対称の形状を有している。右側アタッチメント４０に係るそれ以外の構成は、左側アタッチメント３０と実質的に同一であるため、詳細な説明は割愛する。
【００３７】
次に図７を参照しつつ、左側アタッチメント３０を用いて半導体光源２０を左側光源搭載部１５に固定する方法について詳細に説明する。
【００３８】
半導体光源２０は、支持部２１、左側発光素子２２、右側発光素子２３、左側給電部２４、および右側給電部２５を備えている。左側発光素子２２と右側発光素子２３は、例えば、それぞれ半導体光源２０の上面に平面発光部を有する白色発光ダイオード（ＬＥＤ）である。左側給電部２４と右側給電部２５は、それぞれ導電性材料からなる接点である。左側給電部２４は、左側導電経路２６を介して左側発光素子２２と電気的に接続されている。左側発光素子２２と右側発光素子２３は、電気的に接続されている。右側発光素子２３は、右側導電経路２７を介して右側給電部２５と電気的に接続されている。
【００３９】
支持部２１は、表面が絶縁被膜処理をされた金属製（銅など）の基板である。支持部２１は、当該絶縁被膜上において、左側発光素子２２、右側発光素子２３、左側給電部２４、右側給電部２５、左側導電経路２６、および右側導電経路２７を支持している。
【００４０】
支持部２１の左端部には、切欠き２１ａが形成されている。支持部２１の右端部には、貫通孔２１ｂが形成されている。切欠き２１ａと貫通孔２１ｂは、支持部２１を上下方向に貫通している。
【００４１】
図２および図７に示すように、半導体光源２０は、左側発光素子２２、右側発光素子２３、左側給電部２４、および右側給電部２５が上方を向くように、左側光源搭載部１５上に載置される。このとき、図１に示した左側位置決めピン１５ａと右側位置決めピン１５ｂが、それぞれ切欠き２１ａと貫通孔２１ｂに挿入され、半導体光源２０の左側光源搭載部１５に対する位置決めがなされる。
【００４２】
この状態から図３に示すように、左側光源搭載部１５上に載置された半導体光源２０の上方から、左側アタッチメント３０が装着される。このとき、図１の示した前側位置決めピン１３ａと後側位置決めピン１３ｂが、それぞれ前側位置決め孔３１ｂと後側位置決め孔３１ｃに挿入され、支持体１０（左側支持領域１１）に対する左側アタッチメント３０の位置決めがなされる。
【００４３】
さらに、図３に示すように、前側固定ねじ３７が、前側固定片３２の前側固定孔３２ａを挿通して図１に示した前側ねじ孔１７ａにねじ込まれ、後側固定ねじ３８が、後側固定片３３の後側固定孔３３ａを挿通して図１に示した後側ねじ孔１７ｂにねじ込まれる。これにより、左側アタッチメント３０は、支持体１０（左側支持領域１１）に対して固定される。
【００４４】
支持体１０には、図示しない光源制御部からの信号を伝達する信号線に接続された左側コネクタ７０が装着されている。左側コネクタ７０は、左側アタッチメント３０が備えるコネクタ部３４の接続孔３４ａに嵌入される。これにより当該信号線と、接続端子３４ｂ、３４ｃが電気的に接続される。
【００４５】
この状態において、図７に示すように、半導体光源２０の左側発光素子２２と右側発光素子２３が、左側アタッチメント３０の枠体３１に形成された開口３１ａを通じて上方に露出する。すなわち、枠体３１は、半導体光源２０から出射された光が開口３１ａを通過可能な形状とされている。
【００４６】
このとき右側導電端子３６が備える一対の腕部３６ｃの先端（接点部３６ｃ３）は、右側給電部２５の上面に接触する。同様に、左側導電端子３５の先端（接点部３６ｃ３に対応する部分）は、左側給電部２４の上面に接触する。左側コネクタ７０を介して入力された信号は、左側導電端子３５、左側給電部２４、および左側導電経路２６を経由して左側発光素子２２と右側発光素子２３に入力される。これにより、光源制御部による左側発光素子２２と右側発光素子２３の点消灯制御が可能とされる。
【００４７】
図３に示すように、右側光源搭載部１６についても同様に、左側位置決めピン１６ａと右側位置決めピン１６ｂを用いて、半導体光源２０の右側光源搭載部１６に対する位置決めがなされる。また前側位置決めピン１４ａと後側位置決めピン１４ｂを用いて、支持体１０（右側支持領域１２）に対する右側アタッチメント４０の位置決めがなされる。さらに、前側固定ねじ４７と後側固定ねじ４８を、それぞれ前側ねじ孔１８ａと後側ねじ孔１８ｂにねじ込むことにより、右側アタッチメント４０が、支持体１０（右側支持領域１２）に対して固定される。
【００４８】
また右側コネクタ８０が、右側アタッチメント４０のコネクタ部（コネクタ部３４の対応部分）に接続される。右側アタッチメント４０と右側光源搭載部１６に搭載された半導体光源２０との関係に係るその他の構成は、左側アタッチメント３０と左側光源搭載部１５に搭載された半導体光源２０との関係と実質的に同一であるため、詳細な説明は割愛する。
【００４９】
なお支持体１０は、アルミニウムなどの熱伝導性が高い材料により形成されている。これにより支持体１０はヒートシンクとして機能し、半導体光源２０の発光に伴って発生する熱を効率よく放散できる。
【００５０】
図８に示すように、左側アタッチメント３０の枠体３１における開口３１ａの縁には、４つの保持部３１ａ２〜３１ａ５が形成されている。保持部３１ａ２〜３１ａ５の各々は絶縁性材料からなり、半導体光源２０の支持部２１の一部を覆う。図９は、図８における線ＩＸ−ＩＸに沿う断面を示している。保持部３１ａ２〜３１ａ５の各々は、支持部２１の上面に当接し、半導体光源２０を左側光源搭載部１５（支持体１０）に向けて押圧する（図９においては保持部３１ａ２と３１ａ３のみが示されている）。
【００５１】
図９に示すように、支持部２１の上面は、絶縁性被膜２１ａとされている。一般的には、この絶縁性被膜２１ａ上に形成された左側導電経路２６と右側導電経路２７をさらに覆う絶縁性被膜が形成される。しかしながら、光源の低コスト化を志向した場合、そのような絶縁性被膜の形成を省略したいというニーズがある。上記の構成によれば、保持部３１ａ２〜３１ａ５は絶縁性材料からなるため、左側導電経路２６と右側導電経路２７を絶縁性被膜で覆わずとも保持部３１ａ２〜３１ａ５との間に短絡が生ずることがない。したがって、低コスト化の要求に基づいた半導体光源２０を用いることができ、ひいては当該半導体光源２０を備える灯具ユニット１のコストを抑制できる。
【００５２】
また、支持部２１上に形成された導電経路と保持部３１ａ２〜３１ａ５との間に短絡が生ずることがないため、保持部３１ａ２〜３１ａ５の寸法を最大限大きくして高い保持力を確保できる。特に４つの保持部３１ａ２〜３１ａ５で半導体光源２０を保持するため、保持力を面的に作用させることが可能となり、半導体光源２０の放熱面を支持体１０に対して確実に接触させることができる。これにより支持体を通じた放熱効率を高めることが可能である。
【００５３】
図８に示すように、各保持部３１ａ２〜３１ａ５は、枠体３１に形成された開口３１ａの周縁部から内側に向かって延びており、半導体光源２０に当接する先端側の幅が基端側よりも狭くなっている。
【００５４】
このような構成によれば、各保持部３１ａ２〜３１ａ５が撓みやすくなるため、半導体光源２０に対して、各保持部３１ａ２〜３１ａ５が適度の押圧力で圧接されうる。これにより、最小限の寸法を有する保持部３１ａ２〜３１ａ５で最大限の保持力を確保できる。したがって、左側アタッチメント３０の部品コストを抑制でき、ひいては当該左側アタッチメント３０を備える灯具ユニット１のコストを抑制できる。
【００５５】
枠体３１は、左側導電端子３５と右側導電端子３６と平行な向きに延びる前側固定片３２（第１固定部の一例）と後側固定片３３（第２固定部の一例）を備えている。前側固定片３２には、枠体３１を支持体１０に締結する前側固定ねじ３７（第１締結部材の一例）が挿通される前側固定孔３２ａ（第１貫通孔の一例）が形成されている。後側固定片３３には、枠体３１を支持体１０に締結する後側固定ねじ３８（第２締結部材の一例）が挿通される後側固定孔３３ａ（第２貫通孔の一例）が形成されている。保持部３１ａ２〜３１ａ５は、前側固定孔３２ａと後側固定孔３３ａの中心同士を結ぶ直線Ｌ１に対して線対称となるように配置されている。
【００５６】
このような構成によれば、前側固定ねじ３７と後側固定ねじ３８による締結力を、各保持部３１ａ２〜３１ａ５に等しく作用させることができる。これにより、最小限の寸法を有する保持部３１ａ２〜３１ａ５で最大限の保持力を確保できる。したがって、左側アタッチメント３０の部品コストを抑制でき、ひいては当該左側アタッチメント３０を備える灯具ユニット１のコストを抑制できる。
【００５７】
また各保持部３１ａ２〜３１ａ５は、枠体３１と一体に成形されているため、部品点数の削減が可能である。したがって、左側アタッチメント３０の部品コストを抑制でき、ひいては当該左側アタッチメント３０を備える灯具ユニット１のコストを抑制できる。
【００５８】
上述の説明は、右側アタッチメント４０についても同様に適用可能であることは明らかであるため、繰り返しとなる説明は割愛する。
【００５９】
上記の実施形態は本発明の理解を容易にするためのものであって、本発明を限定するものではない。本発明は、その趣旨を逸脱することなく変更・改良され得るとともに、その等価物が本発明の技術的範囲に含まれることは明らかである。
【００６０】
半導体光源２０は、白色発光ダイオードに限られるものではない。所定の色の光を出射する発光ダイオードを用いてもよく、レーザダイオードや有機ＥＬ素子のような半導体発光素子を備える光源を用いてもよい。
【００６１】
上記の実施形態においては、４つの保持部３１ａ２〜３１ａ５が枠体３１に形成されている。しかしながら、枠体３１に形成される保持部の数は、３つ以上で任意に定められうる。押圧箇所を少なくとも３点とすれば、半導体光源２０に対する押圧力を面的に作用させることができる。これにより半導体光源２０を支持体１０に対して安定的に保持できる。
【００６２】
３つの保持部を形成する場合における各保持部の位置は任意である。しかしながら、前側固定孔３２ａと後側固定孔３３ａの中心同士を結ぶ直線Ｌ１に対して線対称となるように３つの保持部を配置することにより、保持力の安定性がより向上する。例えば３つの保持部の１つを直線Ｌ１上に配置し、残りの２つを直線Ｌ１の左右に線対称となる位置に配置すればよい。
【００６３】
上記の実施形態において、各保持部３１ａ２〜３１ａ５は、半導体光源２０における支持部２１の上面に当接している。しかしながら、半導体光源２０の一部を支持体１０に対して押圧可能であれば、各保持部３１ａ２〜３１ａ５が当接する箇所は、半導体光源２０の仕様に応じて適宜に定められうる。
【００６４】
左側アタッチメント３０と右側アタッチメント４０は、必ずしも左右対称の形状を有していることを要しない。灯具ユニット１の仕様に応じて、同一形状のアタッチメントを用いて左右の半導体光源２０を支持体１０に固定する構成が採用されうる。
【００６５】
左側アタッチメント３０と右側アタッチメント４０は、必ずしも前側固定ねじ３７、４７および後側固定ねじ３８、４８を用いて支持体に締結されることを要しない。支持体１０への締結が可能であれば、適宜の部材が用いられうる。
【００６６】
灯具ユニット１が備える半導体光源２０の数は、２つに限られない。単一、あるいは３つ以上の半導体光源２０を備える構成が採用されうる。
【００６７】
灯具ユニット１は、必ずしも車両に搭載される照明装置に装備されることを要しない。灯具ユニット１は、大型の懐中電灯などの照明装置にも装備されうる。
【００６８】
本出願の記載の一部を構成するものとして、２０１３年９月１７日に提出された日本国特許出願２０１３−１９２２１４の内容を援用する。
【図１】
2015041182.tif 000003
【図２】
2015041182.tif 000004
【図３】
2015041182.tif 000005
【図４】
2015041182.tif 000006
【図５】
2015041182.tif 000007
【図６】
2015041182.tif 000008
【図７】
2015041182.tif 000009
【図８】
2015041182.tif 000010
【図９】
2015041182.tif 000011
【国際調査報告】
2015041182.tif 000012
2015041182.tif 000013
2015041182.tif 000014
2015041182.tif 000015